(57)【要約】【課題】裏紙を有効に使うことができ、省資源に対応することができる画像形成装置を提供すること。【解決手段】ユーザーからの入力情報により画像を形成する少なくとも像担持体と現像手段から成る画像形成手段と、片面画像形成された使用済みの転写材を前記画像形成手段に給紙する給紙手段とを有し、ユーザーからの入力情報による画像形成を行う通常の画像形成時以外かつ所定の条件を満たした時に前記給紙手段より前記転写材を給紙し、前記転写材上の画像のある使用面上に更にユーザー情報による画像形成以外の処理を施す手段を有することを特徴とする。【選択図】図１
2006106598.tif 000002
【特許請求の範囲】
【請求項１】
ユーザーからの入力情報により画像を形成する少なくとも像担持体と現像手段から成る画像形成手段と、片面画像形成された使用済みの転写材を前記画像形成手段に給紙する給紙手段とを有し、ユーザーからの入力情報による画像形成を行う通常の画像形成時以外かつ所定の条件を満たした時に前記給紙手段より前記転写材を給紙し、前記転写材上の画像のある使用面上に更にユーザー情報による画像形成以外の処理を施す手段を有することを特徴とする画像形成装置。
【請求項２】
前記転写材上に画像の或る使用面上に更にユーザー情報による画像形成以外の処理が、転写材を再使用する際の搬送を安定させるものであることを特徴とする請求項１記載の画像形成装置。
【請求項３】
転写材の再使用の際に搬送を安定させるための処理が、再使用面の先端が一定方向を向くために再使用面の先端裏側に画像を形成することを特徴とする請求項２記載の画像形成装置。
【請求項４】
未使用の転写材に画像形成を行う際、転写材の先後端一定領域の画像比率情報を転写材に記録し、再使用する際はその画像比率情報により再使用面の先端を一定方向に向かせるための再使用面の先端裏側に形成する画像量を調整することを特徴とする請求項２記載の画像形成装置。
【請求項５】
転写材の再使用の際に搬送を安定させるための処理が、一定値以上の水分量を持つ環境下では再使用面の裏面全面に亘る画像を形成することを特徴とする請求項２記載の画像形成装置。
【発明の詳細な説明】
【技術分野】
【０００１】
本発明は、画像情報に対応する画像を形成する画像形成装置に関し、特に一方の面に既に画像が形成された用紙を使用して、他方の面に画像を形成する画像形成装置に関するものである。
【背景技術】
【０００２】
従来のデジタル方式の複写機では、読み取った原稿の画像情報を電気信号に変換及び信号処理することにより、レーザ等の書き込み手段の信号を生成して画像を出力するため、上記複写機内に複数収納される紙葉類を集積する用紙カセット内の紙サイズにより各種の印字制御がなされている。例えば、原稿と用紙カセット内の紙サイズが一致しない場合には自動的に縮小或は拡大して印字する機能や縦横変換出力等の機能が備えられている。
【０００３】
又、デジタル方式に限らず従来のアナログ方式の複写機或はレーザプリンタ等の画像形成装置においても複数の用紙カセットを有する場合、複写途中で指定された用紙カセットが「紙なし」になった場合に同サイズの別の用紙カセットから給紙動作（オート用紙カセット選択）する機能が備えられている。
【０００４】
近年、環境問題等の関係から紙に印字出力する画像形成装置において、再生紙の普及がめざましいが、更にプリントミスやコピーミスによるムダを有効活用するために上記不要になった紙の片面（白地）を使用する際に問題が生じる。即ち、上記画像形成装置において、用紙カセットに片面使用済、即ち片面のみ印字済の用紙（以下、裏紙と記載）が収納されている場合、裏紙を使用して白紙面に印字する場合は適正転写・剥離バイアスが変化するため、高品質で画像を形成できない。この問題を解決する目的で特許文献１では未使用紙と裏紙とで転写手段の帯電量を変えることで裏紙使用時の画像品質の低下を防止している。
【０００５】
【特許文献１】特開平０８―１３７２９５号公報
【発明の開示】
【発明が解決しようとする課題】
【０００６】
しかし、裏紙の場合一度定着手段を通っていること、及びカセット内に放置されること等により、その先端がある曲率の反りを持つカールという現象が発生しその量及び方向にばらつきを持つ。その量は未使用紙と比較すると非常に大きい。従って、転写手段の帯電量を変更してもカール量が大きい場合、転写材が像担持体から分離しづらくなり、分離不良による転写材の搬送時の不具合が発生する場合が往々にしてある。
【０００７】
本発明は上記問題に鑑みてなされたもので、その目的とする処は、裏紙を有効に使うことができ、省資源に対応することができる画像形成装置を提供することにある。
【課題を解決するための手段】
【０００８】
上記目的を達成するため、請求項１記載の発明は、ユーザーからの入力情報により画像を形成する少なくとも像担持体と現像手段から成る画像形成手段と、片面画像形成された使用済みの転写材を前記画像形成手段に給紙する給紙手段とを有し、ユーザーからの入力情報による画像形成を行う通常の画像形成時以外かつ所定の条件を満たした時に前記給紙手段より前記転写材を給紙し、前記転写材上の画像のある使用面上に更にユーザー情報による画像形成以外の処理を施す手段を有することを特徴とする。
【０００９】
請求項２記載の発明は、請求項１記載の発明において、前記転写材上に画像の或る使用面上に更にユーザー情報による画像形成以外の処理が、転写材を再使用する際の搬送を安定させるものであることを特徴とする。
【００１０】
請求項３記載の発明は、請求項２記載の発明において、転写材の再使用の際に搬送を安定させるための処理が、再使用面の先端が一定方向を向くために再使用面の先端裏側に画像を形成することを特徴とする。
【００１１】
請求項４記載の発明は、請求項２記載の発明において、未使用の転写材に画像形成を行う際、転写材の先後端一定領域の画像比率情報を転写材に記録し、再使用する際はその画像比率情報により再使用面の先端を一定方向に向かせるための再使用面の先端裏側に形成する画像量を調整することを特徴とする。
【００１２】
請求項５記載の発明は、請求項２記載の発明において、転写材の再使用の際に搬送を安定させるための処理が、一定値以上の水分量を持つ環境下では再使用面の裏面全面に亘る画像を形成することを特徴とする。
【発明の効果】
【００１３】
本発明によれば、裏紙を使用する画像形成装置において裏紙の搬送上の不具合を解消し安定化させることで、裏紙を有効に使うことができる装置を供給することができ、省資源に対応することができる。
【発明を実施するための最良の形態】
【００１４】
以下に本発明の実施の形態を添付図面に基づいて説明する。
【００１５】
＜実施の形態１＞
図１は本発明が適用される画像形成装置の構造を示す断面図である。本画像形成装置は、原稿を読み取るためのスキャナ７０と、スキャナ７０により得られた画像データに対応する画像を用紙に形成する画像形成部７１及び多段給紙カセット収納部７２によって構成されている。
【００１６】
スキャナ７０は、ＡＤＦ（オートドキュメントフィーダ）５９等で取り込まれた原稿を、光源５１を用いて光学的に走査し、その反射光をＣＣＤ５２に照射し、Ａ／Ｄ変換を経てデジタル画像信号として読み込む。
【００１７】
画像形成部７１は、像担持体としての感光体５３、レーザ光学系５４、搬送手段としての搬送ローラ５００、現像器５６、転写チャージャ６０１、剥離チャージャ６０２、定着器５７、排紙カセット５８等により構成される。レーザ光学系５４の中にある半導体レーザは、スキャナ７０で読み込まれた画像信号に応じてＯＮ／ＯＦＦし、そのレーザ光はポリゴンミラーにより反射、走査され、感光体５３上に静電潜像が形成される。静電潜像は、現像器５６により現像された後、多段給紙カセット収納部７２の中の選択された給紙カセット６により給紙され搬送ローラ５００によって搬送されてきた用紙上へ、転写チャージャ６０１の作用により転写され、定着器５７にて定着され、排紙トレイ５８上に排出される。
【００１８】
ここで、転写チャージャ６０１には所定の大きさのＤＣバイアス電圧が印加されており、感光体５３上のトナーを用紙側に電気的に引き付けることによって転写を行う。又、剥離チャージャ６０１には、所定の大きさのＡＣ＋ＤＣバイアス電圧が印加されており、転写チャージャ６０１による帯電で感光体５３に吸着してしまった用紙を電気的に中和し、感光体５３より剥離させるものである。
【００１９】
又、本画像形成装置には処理前の裏紙を収納するためのカセット９を有する。ここに収納された裏紙は、自動的或は裏紙処理モードにて画像形成部へ搬送される。搬送された裏紙は再使用時に転写後の分離性を向上させる目的でその先端に一方向に一定量のカールをもたせる目的で既に画像が形成されている面の送り方向に一端に、例えば長手方向全域に亘る細い帯（１０ｍｍ程度のべたの帯）を形成する。帯を形成する場所は裏紙の再使用時に先端の裏側に当たる場所である。この後、転写材は転写、定着を経て再び前記カセットとは別のカセットに収納される。
【００２０】
このような処理をすることにより裏紙を再使用する場合には紙の状態に関わらず、先端は帯を形成した側（転写後の分離時に像担持体から離れる方向）に一定量のカールを持つため、安定した搬送性を得ることができる。
【００２１】
本実施の形態では、長手全域に亘る帯により、再使用時の先端のカールの一定化を図ったが、特に全域の帯にこだわらず、カールの程度により局所的に形成しても効果を得ることはできる。
【００２２】
又、本実施の形態では、裏紙処理モードを用いて予め裏紙に同方向にカールを持たせるための処理を行ったが、例えばカセットからの出口周辺に裏紙検知用の光センサーを配置して裏紙か、未使用の紙かを検知し、裏紙の場合にはカール補正処理を行った後に画像形成を行うこともできる。
【００２３】
又、未使用面を使用する際、先後端の一定領域（例えば先後端の５０ｍｍ）の画像比率を例えば余白部分にマーキングを行い（例えば２次元のマーキングで）、再利用時そのマーキングを読み取り、再利用時の先端部分の画像比率を認識することで、再利用時のカールの一定化を図るために新たに形成する画像量（例えば帯の量）を決定する方式を採ることもできる。そのとき、再使用時の先端裏側の画像量が多い場合には、新たに形成する画像量は少なくても良い（例えば２ｍｍ程度の帯）。又、画像量が少ない場合には、新たに形成する画像量は多くなる。このとき、画像比率を記録したマーキングを読み取るためにはＣＣＤ等の撮像素子を使用すれば良い。
【００２４】
＜実施の形態２＞
次に、本発明の実施の形態２について説明する。
【００２５】
本実施の形態では、一定以上の水分量を持つ環境下においての裏紙使用時の転写における画像品質の安定化を図るものである。
【００２６】
通常転写材が吸湿した場合、抵抗値が低下し転写過程で画像品質が低下する場合が往々にしてある。特に、裏紙の場合転写材表面のうねりが未使用の転写材と比べて大きくなるため、転写時における画像品質の低下も大きくなる。従って、この問題点を解消するために、裏紙処理モードを行う際に再使用面の裏側全域に亘って薄い層のべた画像を形成する。こうすることにより転写帯電を受ける面の転写材表面抵抗値の低下を軽減することが可能になるので、裏紙使用時の画像品質の低下を軽減することが可能になる。
【００２７】
このとき使用する現像剤は通常の画像形成に使用するものを用いているが、別に専用もものを使用しても良い。
【図面の簡単な説明】
【００２８】
【図１】本発明に係る画像形成装置の構造を示す断面図である。
【符号の説明】
【００２９】
５４  レーザ光学系
５６  現像器
５７  定着器
５９  ＡＤＦ
７０  スキャナ
７１  画像形成部
７２  多段給紙カセット収納部
【図１】
2006106598.tif 000003